【手続補正書】
【提出日】平成17年7月12日(2005.7.12)
【手続補正１】
【補正対象書類名】明細書
【補正対象項目名】請求項１
【補正方法】変更
【補正の内容】
【請求項１】
放電空間を包囲する包囲部および包囲部の両端に連通した小径筒部を備えて一体的に成形された透光性セラミックス放電容器と；
透光性セラミックス放電容器の小径筒部に挿通されているとともに先端が透光性セラミックス放電容器の包囲部に臨んでいる一対の電極と；
先端が電極の基端部に接続し、少なくとも中間部が透光性セラミックス放電容器に封着し、かつ、基端が透光性セラミックス放電容器から外部に露出した導入導体と；
ハロゲン化ナトリウム、ハロゲン化タリウム、ハロゲン化ジスプロシウムおよびハロゲン化セシウムを含み、ハロゲン化セシウムの構成比が６〜１２質量%のハロゲン化物、水銀および希ガスを含んでいて、透光性セラミックス放電容器内に封入された放電媒体と；
を具備していることを特徴とするメタルハライドランプ。
【手続補正２】
【補正対象書類名】明細書
【補正対象項目名】請求項２
【補正方法】変更
【補正の内容】
【請求項２】
放電空間を包囲する包囲部および包囲部の両端に連通した小径筒部を備えて一体的に成形された透光性セラミックス放電容器と、透光性セラミックス放電容器の小径筒部に挿通されているとともに先端が透光性セラミックス放電容器の包囲部に臨んでいる一対の電極と、先端が電極の基端部に接続し、少なくとも中間部が透光性セラミックス放電容器に封着し、かつ、基端が透光性セラミックス放電容器から外部に露出した導入導体と、ハロゲン化ナトリウム、ハロゲン化タリウム、ハロゲン化ジスプロシウムおよびハロゲン化セシウムを含み、ハロゲン化セシウムの構成比が６〜１２質量%のハロゲン化物、水銀および希ガスを含んでいて、透光性セラミックス放電容器内に封入された放電媒体と、を備えた発光管と；
発光管を気密に収納している外管と；
外管の内部に配設されて始動時に発光管に印加する高電圧パルスを発生させる始動器と；
を具備していることを特徴とするメタルハライドランプ。
【手続補正３】
【補正対象書類名】明細書
【補正対象項目名】００１１
【補正方法】変更
【補正の内容】
【００１１】
【課題を達成するための手段】
請求項１の発明のメタルハライドランプは、放電空間を包囲する包囲部および包囲部の両端に連通した小径筒部を備えて一体的に成形された透光性セラミックス放電容器と；透光性セラミックス放電容器の小径筒部に挿通されているとともに先端が透光性セラミックス放電容器の包囲部に臨んでいる一対の電極と；先端が電極の基端部に接続し、少なくとも中間部が透光性セラミックス放電容器に封着し、かつ、基端が透光性セラミックス放電容器から外部に露出した導入導体と；ハロゲン化ナトリウム、ハロゲン化タリウム、ハロゲン化ジスプロシウムおよびハロゲン化セシウムを含み、ハロゲン化セシウムの構成比が６〜１２質量%のハロゲン化物、水銀および希ガスを含んでいて、透光性セラミックス放電容器内に封入された放電媒体と；を具備していることを特徴としている。
【手続補正４】
【補正対象書類名】明細書
【補正対象項目名】００２６
【補正方法】変更
【補正の内容】
【００２６】
発光金属の金属ハロゲン化物として、ナトリウムＮａ、タリウムＴｌ、ジスプロシウムＤｙおよびセシウムＣｓのハロゲン化物を必須成分として封入する。さらに、任意成分としてツリウムＴｍ、ホルミウムＨｏ、カルシウムＣａおよびセリウムＣｅなどの一種または複数種のハロゲン化物を添加することができる。ただし、上記必須成分のうちハロゲン化セシウムは、ハロゲン化物全体の６〜１２質量％でなければならない。なお、ハロゲン化物全体の封入量が６質量％未満であると、後述する理由により本発明の目的を達成することができないので、不可である。なお、ハロゲン化セシウムのハロゲン化物全体に占める構成比が１２質量％以上になると、ランプ電圧抑制効果は飽和傾向を示す。また、発光効率は、ハロゲン化セシウムの構成比にほぼ比例する関係にある。放電媒体中の金属ハロゲン化物を構成するハロゲンとしては、主としてヨウ素を用いるのがよい。所望により、臭素を適量添加することができ、これにより包囲部の黒化が抑制されて、光束維持率が向上する。すなわち、金属ハロゲン化物の総量に対して３〜３５質量％、好適には５〜１５質量％の割合で金属臭化物を添加することにより、光束維持率が向上する。
【手続補正５】
【補正対象書類名】明細書
【補正対象項目名】００３４
【補正方法】変更
【補正の内容】
【００３４】
＜本発明の作用について＞    本発明の高圧放電ランプにおいては、ハロゲン化物の中にハロゲン化物全体の６〜１２質量％のハロゲン化セシウムを含んでいることにより、一体的に成形された透光性セラミックス放電容器を備えたメタルハライドランプにおいて、点灯直後の急激で、かつ、一時的なランプ電圧の上昇が目標ランプ電力に対して１０〜１５Ｖ程度に抑制される。その結果、放電の立ち消えを防止することができる。ただし、ハロゲン化セシウムの封入量がハロゲン化物全体の６質量％未満であると、点灯直後のランプ電圧上昇の抑制効果が十分でない。
【手続補正６】
【補正対象書類名】明細書
【補正対象項目名】００３７
【補正方法】変更
【補正の内容】
【００３７】
請求項２の発明のメタルハライドランプは、放電空間を包囲する包囲部および包囲部の両端に連通した小径筒部を備えて一体的に成形された透光性セラミックス放電容器と、透光性セラミックス放電容器の小径筒部に挿通されているとともに先端が透光性セラミックス放電容器の包囲部に臨んでいる一対の電極と、先端が電極の基端部に接続し、少なくとも中間部が透光性セラミックス放電容器に封着し、かつ、基端が透光性セラミックス放電容器から外部に露出した導入導体と、ハロゲン化ナトリウム、ハロゲン化タリウム、ハロゲン化ジスプロシウムおよびハロゲン化セシウムを含み、ハロゲン化セシウムの構成比が６〜１２質量％のハロゲン化物、水銀および希ガスを含んでいて、透光性セラミックス放電容器内に封入された放電媒体と、を備えた発光管と；発光管を気密に収納している外管と；外管の内部に配設されて始動時に発光管に印加する高電圧パルスを発生させる始動器と；を具備していることを特徴としている。
【手続補正７】
【補正対象書類名】明細書
【補正対象項目名】００４０
【補正方法】変更
【補正の内容】
【００４０】
本発明は、ハロゲン化セシウムの好適な構成比を規定している。すなわち、ハロゲン化セシウムのハロゲン化物全体に占める構成比が上記の範囲内であれば、十分なランプ電圧抑制効果が得られるとともに、発光効率の低下もわずかで済む。したがって、実用的なメタルハライドランプを得ることができる。
【手続補正８】
【補正対象書類名】明細書
【補正対象項目名】００５４
【補正方法】変更
【補正の内容】
【００５４】
ハロゲン化物は、ハロゲン化ナトリウム、ハロゲン化タリウム、ハロゲン化ジスプロシウムおよびハロゲン化セシウムを含み、ハロゲン化セシウムの構成比が６〜１２質量%になっている。
【実施例】
透光性セラミックス放電容器１    全長７０ｍｍ、包囲部外径１４ｍｍ
一対の電極２、２    ドープドタングステン製、電極間距離１８ｍｍ
放電媒体    ＮａＩ：ＴｌＩ：ＤｙＩ３：ＨｏＩ３：ＴｍＩ３：ＣｓＩ３＝
２８：１５：１６：１６：１６：９（質量％）、水銀２０ｍｇ、
アルゴン１６ｋＰａ
定格ランプ電力    ２２０Ｗ
ランプ電圧        １２０Ｖ
ランプ特性    発光効率９５lm/W、平均演色評価数８３、色温度４１００K
図２は、一体的に成形された透光性セラミックス放電容器を備えたメタルハライドランプにおいて、ハロゲン化セシウムのハロゲン化物全体に対する構成比がそれぞれ異なる場合の点灯直後におけるランプ電圧の実際の変化を示すグラフである。図において、横軸は点灯時間（分）を、縦軸はランプ電圧（Ｖ）を、それぞれ示す。また、曲線Ａはハロゲン化セシウムの構成比が６質量％、曲線Ｂは同じく１０質量％、曲線Ｃは同じく０質量％である。
【手続補正９】
【補正対象書類名】明細書
【補正対象項目名】００５７
【補正方法】変更
【補正の内容】
【００５７】
図から理解できるように、ハロゲン化セシウムの構成比が増加するのに伴って、ランプ効率は比例的に低下する。これに対して、ランプ電圧抑制値はハロゲン化セシウムの構成比が１２質量％以上になると飽和傾向を示す。このことから、ハロゲン化セシウムの構成比が６〜１２質量％であれば、点灯直後にランプ電圧が一時的に上昇するのを抑制することができ、またハロゲン化セシウムの構成比が６〜１０質量％の範囲であれば、点灯直後にランプ電圧が一時的に上昇するのを抑制するとともに、ランプ効率の低下を少なくできることが分る。
【手続補正１０】
【補正対象書類名】明細書
【補正対象項目名】００８５
【補正方法】変更
【補正の内容】
【００８５】
【発明の効果】
請求項１の発明によれば、包囲部の両端に連通した小径筒部を備えて一体的に成形された透光性セラミックス放電容器と、小径筒部に挿通されて先端が透光性放電容器の包囲部に臨んでいる一対の電極と、先端が電極の基端部に接続し、少なくとも中間部が透光性放電容器に封着し、かつ、基端が透光性放電容器から外部に露出した導入導体と、ハロゲン化ナトリウム、ハロゲン化タリウム、ハロゲン化ジスプロシウムおよびハロゲン化セシウムを含み、ハロゲン化セシウムの構成比が６〜１２質量%のハロゲン化物、水銀および希ガスを含んでいて、透光性セラミックス放電容器内に封入された放電媒体とを具備していることにより、点灯直後に放電の立ち消えが起こりにくいメタルハライドランプを提供することができる。
【手続補正１１】
【補正対象書類名】明細書
【補正対象項目名】００８６
【補正方法】変更
【補正の内容】
【００８６】
請求項２の発明によれば、包囲部の両端に連通した小径筒部を備えて一体的に成形された透光性セラミックス放電容器、小径筒部に挿通されて先端が透光性セラミックス放電容器の包囲部に臨んでいる一対の電極、先端が電極の基端部に接続し、少なくとも中間部が透光性セラミックス放電容器に封着し、かつ、基端が透光性セラミックス放電容器から外部に露出した導入導体、ならびにハロゲン化ナトリウム、ハロゲン化タリウム、ハロゲン化ジスプロシウムおよびハロゲン化セシウムを含み、ハロゲン化セシウムの構成比が６〜１２質量のハロゲン化物、水銀および希ガスを含んでいて、透光性セラミックス放電容器内に封入された放電媒体を備えた発光管と、発光管を気密に収納している外管と、外管の内部に配設されて始動時に発光管に印加する高電圧パルスを発生させる始動器とを具備していることにより、点灯直後に放電の立ち消えが起こりにくい水銀灯安定器適合形のメタルハライドランプを提供することができる。